(57)【要約】【課題】容器本体の周辺に設けられた鍔の下面部に係止突起を複数設けることによって輪ゴム（係止用具）が簡単に掛けられ、確実に蓋が保持されるようにした容器を提供する。【解決手段】蓋２が着脱式又は開閉式である角型又は丸型の容器Ａにおいて、容器本体１の鍔１ａの下面部４に輪ゴム等の弾性材からなる係止用具５を掛けるための複数箇のテーパー筒状である係止突起３を周辺に沿って鍔１ａを貫通して設け、これとは別に設けた輪ゴム等の弾性材からなる係止用具５を一組としたもので、係止突起３を容器Ａの本体１の底面部に設けることもできる。【選択図】  図２
2004299780.tif 000002
【特許請求の範囲】
【請求項１】
鍔１ａ付きの容器本体１と鍔２ａ付きの蓋２が着脱式又は開閉式である角型又は丸型等の容器Ａにおいて、容器本体１の周辺に沿って設けられた鍔１ａの下面部４に輪ゴム等の弾性材からなる係止具５を掛けるための複数箇のテーパー状の筒体である係止突起３を、鍔１ａを貫通して設け、別途設けた輪ゴム等の弾性材からなる係止用具５を一組としたことを特徴とする容器。
【発明の詳細な説明】
【０００１】
【発明の属する技術分野】本発明は店頭で食品等を販売する際、食品を入れる器として提供されている透明で箱型の合成樹脂製容器の改良に関し、詳しくは容器本体１の鍔１ａの下面部に係止突起を複数箇設けることによって輪ゴムが簡単に掛けられ、確実に蓋が保持されるとともに空の容器を出来る限り嵩張らずに積み重ねることが出来るように構成した容器に関するものである。
【０００２】
【従来の技術】
従来、食品を入れる容器は各種提供され、古くは紙の袋から厚紙のものまで、食品の材質、形状に合わせた容器が提供されている。
近年、すぐに食卓に載せる食品として提供される生鮮魚介類、揚げ物、惣菜類等を店頭で販売する際に利用される容器として、蓋付きの合成樹脂製容器が安価に大量に提供されるようになり、食品以外にも合成樹脂製容器が広く利用されるようなった。
これらの容器には蓋が不可欠であるが、蓋には取り外し自在のものから容器と一体になった開閉自在のものまで各種提供されている。
又、容器本体の鍔と蓋の鍔の一部又は全体が嵌着されるような構造にし、輪ゴムや紐等の係止用具をを利用しないで蓋を取り付けることが出来る容器も提供されている。
【０００３】
【発明が解決しようとする課題】
しかし、容器に内容物を入れて蓋をした場合、蓋が開かないようにしなければならないため、様々な工夫をしなければならず、そのため成型する際、容器と蓋の鍔が相互に嵌合するように形成したり、輪ゴムや紐等を利用して蓋が開かないようにしていた。
蓋と容器の鍔を嵌合させる手段は確実に蓋は閉められるが開けにくい欠点があり、特に老齢者や手の不自由な人は他人の手を煩わさなければならないが、内容物が確実に密封されるので容器入りの食品を売る場合はこの手段が広く採用されている。
蓋をした容器に輪ゴムを掛ける手段は簡単であるが、輪ゴムが容器の中心部に掛かっていないと蓋に隙間ができる場合があり、又取り外しにくいこともあって適切な手段とは云えなかった。
本発明は輪ゴム等の弾性材を利用して蓋を固定するため、容器本体の鍔の下面部に係止突起複数箇を対峙させて設け、輪ゴムを蓋の上から対峙する係止突起に掛けることによって適切な部位に輪ゴムが掛けられ、片方の係止突起から輪ゴムを外すことによって簡単に蓋を開けることができ、しかも係止突起をテーパー状の筒体にし、鍔に貫通させて設けることによって空の容器を積み重ねる際、嵩張らないようにした容器を提供することを目的とする。
【０００４】
【課題を解決するための手段】
上記目的を達成するため本発明は、鍔１ａ付きの容器本体１と鍔２付きの蓋２が着脱式又は開閉式である角型又は丸型等の容器Ａにおいて、容器本体１の鍔１ａの下面部４に輪ゴム等の弾性材からなる係止用具５を掛けるための複数箇のテーパー状の筒体である係止突起３を、鍔を貫通させて設け、これとは別に設けた輪ゴム等の弾性材からなる係止用具５を一組としたものである。
【０００５】
【発明の実施の形態】
以下、本発明の実施の形態を図面に基いて説明する。
図１は蓋を開いた状態の本発明の容器の仰瞰図、図２は蓋を閉めた状態の本発明の側面図、図３は係止突起付近の拡大断面図、図４は丸型容器の実施例図、図５は従来の容器の例を示した図で図６は本発明の他の実施例を示した図で、図中の符号Ａは容器を示す。
【０００６】
１は容器本体で、この容器本体は長方形状の箱形で、殆んどが透明の合成樹脂の薄板からなり、容器本体１と蓋２には鍔１ａ、２ａがそれぞれ設けられ、プレス成型によって成型される。
容器本体１は収納する内容物や用途によって様々な形状が考えられ、長方形状で箱形のものが最も多いが、弁当等の場合は特徴を出すために丸型、ハート型、楕円型等様々の形のものが提供されている。
【０００７】
２は容器本体１と一対になっている鍔２付きの蓋で、この蓋２は容器本体１と別々に成型されているものと、一体に成型されたものがあって、容器本体１と一体に成型されている蓋２は本体１との境界線から折り曲げることによって蓋の役割を果たすようになっている。
【０００８】
３は容器本体１の鍔１ａの下面部４に設けられた係止突起で、この係止突起３は蓋をした際、輪ゴム等の係止用具５を掛けるためのもので、外周に沿って設けられた輪ゴムを引っ掛けるために設けられ、下方が細くなるテーパー状で鍔１ａを貫通した筒体で、この係止突起３は容器本体１の両側に対峙するように設けられ、２箇の対峙する係止突起に係止用具５を掛けることによって蓋２が開くのを押えることができるが、内容物が多く嵩んだ場合には両側寄りの係止突起を利用して係止用具５を掛ける。
又、係止突起３は図６に示したように容器本体１の底面部に設けることも可能で、このように設けることによって簡単に輪ゴム状の係止用具５を掛けることができ、取り外しも容易にできる。
係止突起３は周側部に凹陥部（図示せず）を設ければ、掛けた係止用具が外れ難くなる効果がある。
【０００９】
４は容器本体１の鍔１ａの下面部で、この下面部４には複数箇の係止突起３が設けられているが、収納する内容物によって２箇の係止突起では確実に保持できない場合を考え、複数（偶数）箇の係止突起３を設けたものある。
【００１０】
５は輪ゴム、伸縮性の紐、その他の紐からなる係止用具で特定のものではなく作業性、経済性を考慮した場合、輪ゴムが最も適している。
係止用具５を掛ける場合は図２に示すように、係止用具（輪ゴム）５の片部を容器本体１の鍔１ａの下面部４の中央部に設けられた係止突起３ｄに掛け、蓋２を押さえるように他部を対峙する係止突起ａに掛ける。
【００１１】
容器Ａは内容物が見えるように透明の合成樹脂の薄板でできているもので、特に食品等は買う人が目で確認し自由に選択できるようになっている。
【００１２】
上記のように構成された本発明を実際に使用する場合は次のようになる。
図２に示したように蓋２をした後、容器本体１の鍔１ａの下面部４に設けられた係止突起３ａ、３ｄに蓋２の上から係止用具（輪ゴム）５を掛ける。
このようにすると一本の輪ゴムが二本の輪ゴムと同じ弾力で蓋２は確実に押さえるが、更に確実に押さえる必要が有る場合は係止突起３と３ｃ、３ｂと３ｅにそれぞれ係止用具を掛ける。
尚、布製、ビニール製の紐を利用しても蓋を押さえることはできるが、確実に蓋を押さえることは難しい。
係止用具（輪ゴム）５を３、３ａと３ｃ、３ｂに掛けることも可能で、このように掛けると、より確実に蓋を押さえることができる。
又、本発明は豆腐や、納豆、カップラーメン、麺類等の容器に利用することもできる。
【００１３】
容器本体１の鍔１ａの下面部に設けられた係止突起の場合も本体１の底面部に設けられた係止突起と使用方法は同様である。
【００１４】
【発明の効果】
上記のように構成された本発明には次のような効果がある。
ａ．老齢者や手の不自由な人でも係止用具（輪ゴム）が簡単に掛けられ、取り外しも簡単にできる。
ｂ．係止用具は対峙する係止突起に掛けるので係止用具自体は移動することがないので蓋は確実に押さえられる。
ｃ．係止突起はプレス加工によって容易に形成されるので容器の価格に影響することはない。
ｄ．係止突起はテーパー筒体に形成されているので容器を積み重ねた場合も嵩張ることはない。
【図面の簡単な説明】
【図１】本発明の容器の仰瞰図である。
【図２】蓋を閉めた状態の本発明の側面図である。
【図３】係止突起の拡大断面図である。
【図４】丸型容器の実施例である。
【図５】従来の容器の一例を示した図である。
【図６】本発明の他の実施例を示した図である。
【符号の説明】
１  容器本体
１ａ  鍔
２  蓋
２ａ  鍔
３  係止突起
４  下面部
５  係止用具
Ａ  容器
【図１】
2004299780.tif 000003
【図２】
2004299780.tif 000004
【図３】
2004299780.tif 000005
【図４】
2004299780.tif 000006
【図５】
2004299780.tif 000007
【図６】
2004299780.tif 000008
【手続補正書】
【提出日】平成15年9月4日(2003.9.4)
【手続補正１】
【補正対象書類名】明細書
【補正対象項目名】発明の詳細な説明
【補正方法】変更
【補正の内容】
【発明の詳細な説明】
【０００１】本発明は店頭で食品等を販売する際、食品を入れる器として提供されている透明で箱型の合成樹脂製容器の改良に関し、詳しくは容器本体１の鍔１ａの下面部に係止突起を複数箇設けることによって輪ゴムが簡単に掛けられ、確実に蓋が保持されるとともに空の容器を出来る限り嵩張らずに積み重ねることが出来るように構成した容器に関するものである。
【０００２】従来、食品を入れる容器は各種提供され、古くは紙の袋から厚紙のものまで、食品の材質、形状に合わせた容器が提供されている。
近年、すぐに食卓に載せる食品として提供される生鮮魚介類、揚げ物、惣菜類等を店頭で販売する際に利用される容器として、蓋付きの合成樹脂製容器が安価に大量に提供されるようになり、食品以外にも合成樹脂製容器が広く利用されるようなった。
これらの容器には蓋が不可欠であるが蓋には取り外し自在のものから容器と一体になった開閉自在のものまで各種提供されている。
又、容器本体の鍔と蓋の鍔の一部又は全体が嵌着されるような構造にし、輪ゴムや紐等の係止用具をを利用しないで蓋を取り付けることが出来る容器も提供されている。
【０００３】しかし、容器に内容物を入れて蓋をした場合、蓋が開かないようにしなければならないため、様々な工夫をしなければならず、そのため成型する際、容器と蓋の鍔が相互に嵌合するように形成したり輪ゴムや紐等を利用して蓋が開かないようにしていた。
蓋と容器の鍔を嵌合させる手段は確実に蓋は閉められるが開けにくい欠点があり、特に老齢者や手の不自由な人は他人の手を煩わさなければならないが、内容物が確実に密封されるので容器入りの食品を売る場合はこの手段が広く採用されている。
蓋をした容器に輪ゴムを掛ける手段は簡単であるが、輪ゴムが容器の中心部に掛かっていないと蓋に隙間ができる場合があり、又取り外しにくいこともあって適切な手段とは云えなかった。
本発明は輪ゴム等の弾性材を利用して蓋を固定するため、容器本体の鍔の下面部に係止突起複数箇を対峙させて設け、輪ゴムを蓋の上から対峙する係止突起に掛けることによって適切な部位に輪ゴムが掛けられ、片方の係止突起から輪ゴムを外すことによって簡単に蓋を開けることができ、しかも係止突起をテーパー状の筒体にし、鍔に貫通させて設けることによって空の容器を積み重ねる際、嵩張らないようにした容器を提供することを目的とする。
【０００４】上記目的を達成するため本発明は、鍔１ａ付きの容器
本体１と鍔２付きの蓋２が着脱式又は開閉式である角型又は丸型等の容器Ａにおいて、容器本体１の鍔１ａの下面部４に輪ゴム等の弾性材からな係止用具５を掛けるための複数箇のテーパー状の筒体である係止突起３を、鍔を貫通させて設け、これとは別に設けた輪ゴム等の弾性材からなる係止用具５を一組としたものである。
【０００５】上記のように構成された本発明を実際に使用する場合は次のようになる。
図２に示したように蓋２をした後、容器本体１の鍔１ａの下面部４に設けられた係止突起３ａ、３ｂに蓋２の上から係止用具（輪ゴム）５を掛ける。
このようにすると一本の輪ゴムが二本の輪ゴムと同じ弾力で蓋２を確実に押さえるが、更に確実に押さえる必要がある場合は係止突起３と３’、３ａと３ａ’にそれぞれ係止用具をを掛ける。
尚、布製、ビニール製の紐を利用しても蓋を押さえることは出来るが、確実に蓋を押さえることは難しい。
係止用具（輪ゴム）５を３、３ａと３ｃ、３ｂに掛けることも可能で、このように掛けると、より確実に蓋を押さえることができる。
又、本発明は豆腐や、納豆、カップラーメン、麺類等の容器に利用することもできる。
【０００６】以下、本発明の実施例を図面に基いて説明する。
図１は蓋を開いた状態の本発明の容器の仰瞰図、図２は蓋を閉めた状態の本発明の側面図、図３は係止突起付近の拡大断面図、図４は丸型容器本体の実施例図、図５は従来の容器の例を示した図で図６は本発明の実施例図で、図中の符号Ａは容器を示す。
【０００７】１は容器本体で、この容器本体は長方形状の箱形で、殆んどが透明の合成樹脂の薄板からなり、容器本体１と蓋２には鍔１ａ、２ａがそれぞれ設けられ、プレス成型によって成型される。
容器本体１は収納する内容物や用途によって様々な形状が考えられ、長方形状で箱形のものが最も多いが、弁当等の場合は特徴を出すために丸型、ハート型、楕円型等様々の形のものが提供されている。
【０００８】２は容器本体１と一対になっている鍔２付きの蓋で、この蓋２は容器本体１と別々に成型されているものと、一体に成型されたものがあって、容器本体１と一体に成型されている蓋２は本体１との境界線から折り曲げることによって蓋の役割を果たすようになっている。
【０００９】３は容器本体１の鍔１ａの下面部４に設けられた係止突起で、この係止突起３は蓋をした際、輪ゴム等の係止用具５を掛けるためのもので、外周に沿って設けられた輪ゴムを引っ掛けるために設けられ、下方が細くなるテーパー状で鍔１ａを貫通した筒体で、この係止突起３は容器本体１の両側に対峙するように設けられ２箇の対峙する係止突起に係止用具５を掛けることによって蓋２が開くのを押えることができるが、内容物が多く嵩んだ場合には両側寄りの係止突起を利用して係止用具５を掛ける。
又、係止突起３は図６に示したように容器本体１の底面部に設けることも可能で、このように設けることによって簡単に輪ゴム状の係止用具５を掛けることができ、取り外しも容易にできる。
係止突起３は周側部に凹陥部（図示せず）を設ければ、掛けた係止用具が外れ難くなる効果がある。
【００１０】４は容器本体１の鍔１ａの下面部で、この下面部４には複数箇の係止突起３が設けられているが、収納する内容物によって２箇の係止突起では確実に保持できない場合を考え、複数（偶数）箇の係止突起３を設けたものある。
【００１１】５は輪ゴム、伸縮性の紐、その他の紐からなる係止用具で特定のものではなく作業性、経済性を考慮した場合、輪ゴムが最も適している。
係止用具５を掛ける場合は図２に示すように、係止用具（輪ゴム）５の片部を容器本体１の鍔１ａの下面部４の中央部に設けられた係止突起３ｄに掛け、蓋２を押さえるように他部に対峙する係止突起３ａに掛ける。
【００１２】容器Ａは内容物が見えるように透明の合成樹脂の薄板できているもので、特に食品等は買う人が目で確認し自由に選択できるようになっている。
【００１３】容器本体１の底壁の下面部に係止突起を設けることも可能である。
【００１４】
蓋２の鍔の下面部とと容器本体１の鍔の上面部に粘着剤等を設けることも限定はしない。
【００１５】上記のように構成された本発明には次のような効果がある。
ａ．老齢者や手の不自由な人でも係止用具（輪ゴム）が簡単に掛けられ、取り外しも簡単にできる。
ｂ．係止用具は対峙する係止突起に掛けるので係止用具自体は移動することがないので蓋は確実に押さえられる。
ｃ．係止突起はプレス加工によって容易に形成されるので容器の価格に影響することはない。
ｄ．係止突起はテーパー筒体に形成されているので容器を積み重ねた場合も嵩張ることはない。


【手続補正２】
【補正対象書類名】明細書
【補正対象項目名】図面の簡単な説明
【補正方法】変更
【補正の内容】
【図面の簡単な説明】
【図１】本発明の容器の仰瞰図である。
【図２】蓋を閉めた状態の本発明の側面図である。
【図３】係止突起の拡大断面図である。
【図４】丸型容器の実施例である。
【図５】従来の容器の一例を示した図である。
【図６】本発明の実施例図である。
【符号の説明】１  容器本体
１ａ  鍔
２  蓋
２ａ  鍔
３  係止突起
４  下面部
５  係止用具
Ａ  容器


【手続補正４】
【補正対象書類名】図面
【補正対象項目名】図１
【補正方法】変更
【補正の内容】
【図１】
2004299780.tif 000009
【手続補正５】
【補正対象書類名】図面
【補正対象項目名】図６
【補正方法】変更
【補正の内容】
【図６】
2004299780.tif 000010